Podtech/llm-jp-corpus-v4-ja_patent huggingface dataset:
【手続補正書】
【提出日】平成23年11月2日(2011.11.2)
【手続補正１】
【補正対象書類名】特許請求の範囲
【補正対象項目名】全文
【補正方法】変更
【補正の内容】
【特許請求の範囲】
【請求項１】
メッセージを表示手段に表示させる情報処理装置であって、
各メッセージを前記表示手段に表示する場合の優先順位を示す優先順位情報をユーザごとに記憶する記憶手段と、
ユーザを識別する識別手段と、
前記識別手段が識別したユーザに対応する前記優先順位情報が示す優先順位に従い、前記表示手段に表示すべき複数のメッセージを切り換えて表示する表示順序を制御する表示制御手段と、
を備えることを特徴とする情報処理装置。
【請求項２】
前記表示制御手段は、前記表示手段に表示すべき複数のメッセージを、優先順位が高いメッセージから順次前記表示手段に表示させることを特徴とする請求項１記載の情報処理装置。
【請求項３】
前記表示制御手段は、前記識別手段がユーザを識別した場合、前記表示手段に表示すべき複数のメッセージに対してあらかじめ設定された表示順序に代えて、識別したユーザに対応する前記優先順位情報が示す優先順位に従う表示順序で、前記複数のメッセージを前記表示手段に表示させることを特徴とする請求項１又は２記載の情報処理装置。
【請求項４】
前記表示制御手段は、表示すべき複数のメッセージの総数と、現在表示されているメッセージの優先順位をあわせて表示することを特徴とする請求項１乃至３のいずれか１項に記載の情報処理装置。
【請求項５】
前記表示制御手段は、前記情報処理装置で発生している事象にそれぞれ対応するメッセージを前記表示手段に表示させることを特徴とする請求項１乃至４のいずれか１項に記載の情報処理装置。
【請求項６】
前記識別手段が識別したユーザに対応する前記優先順位情報を設定させる設定手段を更に有し、
前記記憶手段は、前記設定手段で設定された前記優先順位情報を記憶することを特徴とする請求項１乃至５のいずれか１項に記載の情報処理装置。
【請求項７】
前記表示手段は操作画面とステータス行を表示し、
前記表示制御手段は、前記識別手段が識別したユーザに対応する前記優先順位情報が示す優先順位に従い、前記ステータス行に表示すべき各メッセージの表示順序を制御することを特徴とする請求項１乃至６のいずれか１項に記載の情報処理装置。
【請求項８】
メッセージを表示手段に表示させる情報処理装置における表示制御方法であって、
ユーザを識別する識別工程と、
各メッセージを前記表示手段に表示する場合の優先順位を示す優先順位情報をユーザごとに記憶する記憶手段から、前記識別工程で識別したユーザに対応する前記優先順位情報を取得する取得工程と、
前記取得工程で取得した優先順位情報が示す優先順位に従い、前記表示手段に表示すべき複数のメッセージを切り換えて表示する表示順序を制御する表示制御工程と、
を備えることを特徴とする表示制御方法。
【請求項９】
メッセージを表示する表示手段にメッセージを表示させるプログラムであって、
ユーザを識別する識別工程と、
各メッセージを前記表示手段に表示する場合の優先順位を示す優先順位情報をユーザごとに記憶する記憶手段から、前記識別工程で識別したユーザに対応する前記優先順位情報を取得する取得工程と、
前記取得工程で取得した優先順位情報が示す優先順位に従い、前記表示手段に表示すべき複数のメッセージを切り換えて表示する表示順序を制御する表示制御工程と、
をコンピュータに実行させることを特徴とするプログラム。
【手続補正２】
【補正対象書類名】明細書
【補正対象項目名】０００６
【補正方法】変更
【補正の内容】
【０００６】
上記目的を達成する本発明の情報処理装置は以下に示す構成を備える。
メッセージを表示手段に表示させる情報処理装置であって、各メッセージを前記表示手段に表示する場合の優先順位を示す優先順位情報をユーザごとに記憶する記憶手段と、ユーザを識別する識別手段と、前記識別手段が識別したユーザに対応する前記優先順位情報が示す優先順位に従い、前記表示手段に表示すべき複数のメッセージを切り換えて表示する表示順序を制御する表示制御手段とを備えることを特徴とする。
【手続補正書】
【提出日】平成23年4月21日(2011.4.21)
【手続補正１】
【補正対象書類名】特許請求の範囲
【補正対象項目名】全文
【補正方法】変更
【補正の内容】
【特許請求の範囲】
【請求項１】
基板と、
前記基板上に備えられた複数のリムーバブル層と、
前記複数のリムーバブル層上に備えられ、前記基板の表面材料とは異なる材料から構成され、半導体発光素子を備える半導体発光素子薄膜とを有し、
前記複数のリムーバブル層は、ケミカルエッチングによって選択的にエッチング可能な材料で構成されている
ことを特徴とする半導体発光素子アレイ装置。
【請求項２】
前記複数のリムーバブル層は、Ａｌ、Ａｌ２Ｏ３、ＳｉＯ２、ＳｉＮ、Ｔｉの中のいずれかの材料によって形成されていることを特徴とする請求項１に記載の半導体発光素子アレイ装置。
【請求項３】
前記基板の表面材料は、ＳｉＯ２、ＳｉＮ、Ｔｉのいずれかの材料によって形成され、
前記複数のリムーバブル層は、Ａｌ、Ａｌ２Ｏ３のいずれかの材料によって形成されている
ことを特徴とする請求項１に記載の半導体発光素子アレイ装置。
【請求項４】
前記基板の表面材料は、Ａｌ、Ａｌ２Ｏ３のいずれかの材料によって形成され、
前記複数のリムーバブル層は、ＳｉＯ２、ＳｉＮ、Ｔｉのいずれかの材料によって形成されている
ことを特徴とする請求項１に記載の半導体発光素子アレイ装置。
【請求項５】
前記半導体発光素子薄膜は、前記リムーバブル層上に分子間力、水素結合、陽極接合、接着剤のいずれかにより固定されていることを特徴とする請求項１乃至４のいずれか１項に記載の半導体発光素子アレイ装置。
【請求項６】
前記リムーバブル層上に備えられた平坦化層をさらに有し、
前記半導体発光素子薄膜は、前記平坦化層上に分子間力、水素結合、接着剤のいずれかにより固定されている
ことを特徴とする請求項１乃至４のいずれか１項に記載の半導体発光素子アレイ装置。
【請求項７】
前記リムーバブル層上に備えられた裏面電極層をさらに有し、
前記半導体発光素子薄膜は、前記裏面電極層上に分子間力、水素結合、陽極接合、接着剤のいずれかにより固定されている
ことを特徴とする請求項１乃至４のいずれか１項に記載の半導体発光素子アレイ装置。
【請求項８】
半導体発光素子アレイを含む画像露光部を有する画像露光装置であって、
前記発光素子アレイは、
基板と、
前記基板上に備えられた複数のリムーバブル層と、
前記複数のリムーバブル層上に備えられ、前記基板の表面材料とは異なる材料から構成され、半導体発光素子を備える半導体発光素子薄膜とを有し、
前記複数のリムーバブル層は、ケミカルエッチングによって選択的にエッチング可能な材料で構成されている
ことを特徴とする画像露光装置。
【請求項９】
半導体発光素子アレイを含む画像露光部を有する画像露光装置と、前記画像露光装置によって静電潜像が形成される感光体とを有する画像形成装置であって、
前記発光素子アレイは、
基板と、
前記基板上に備えられた複数のリムーバブル層と、
前記複数のリムーバブル層上に備えられ、前記基板の表面材料とは異なる材料から構成され、半導体発光素子を備える半導体発光素子薄膜とを有し、
前記複数のリムーバブル層は、ケミカルエッチングによって選択的にエッチング可能な材料で構成されている
ことを特徴とする画像形成装置。
【請求項１０】
半導体発光素子アレイを含む画像表示部を有する画像表示装置であって、
前記発光素子アレイは、
基板と、
前記基板上に備えられた複数のリムーバブル層と、
前記複数のリムーバブル層上に備えられ、前記基板の表面材料とは異なる材料から構成され、半導体発光素子を備える半導体発光素子薄膜とを有し、
前記複数のリムーバブル層は、ケミカルエッチングによって選択的にエッチング可能な材料で構成されている
ことを特徴とする画像表示装置。
【手続補正２】
【補正対象書類名】明細書
【補正対象項目名】００１０
【補正方法】変更
【補正の内容】
【００１０】
また、本発明に係る画像露光装置は、半導体発光素子アレイを含む画像露光部を有する画像露光装置であって、前記発光素子アレイは、基板と、前記基板上に備えられた複数のリムーバブル層と、前記複数のリムーバブル層上に備えられ、前記基板の表面材料とは異なる材料から構成され、半導体発光素子を備える半導体発光素子薄膜とを有し、前記複数のリムーバブル層は、ケミカルエッチングによって選択的にエッチング可能な材料で構成されていることを特徴としている。
【手続補正３】
【補正対象書類名】明細書
【補正対象項目名】００１１
【補正方法】変更
【補正の内容】
【００１１】
さらに、本発明に係る画像形成装置は、半導体発光素子アレイを含む画像露光部を有する画像露光装置と、前記画像露光装置によって静電潜像が形成される感光体とを有する画像形成装置であって、前記発光素子アレイは、基板と、前記基板上に備えられた複数のリムーバブル層と、前記複数のリムーバブル層上に備えられ、前記基板の表面材料とは異なる材料から構成され、半導体発光素子を備える半導体発光素子薄膜とを有し、前記複数のリムーバブル層は、ケミカルエッチングによって選択的にエッチング可能な材料で構成されていることを特徴としている。
【手続補正４】
【補正対象書類名】明細書
【補正対象項目名】００１２
【補正方法】変更
【補正の内容】
【００１２】
さらにまた、本発明に係る画像表示装置は、半導体発光素子アレイを含む画像表示部を有する画像表示装置であって、前記発光素子アレイは、基板と、前記基板上に備えられた複数のリムーバブル層と、前記複数のリムーバブル層上に備えられ、前記基板の表面材料とは異なる材料から構成され、半導体発光素子を備える半導体発光素子薄膜とを有し、前記複数のリムーバブル層は、ケミカルエッチングによって選択的にエッチング可能な材料で構成されていることを特徴としている。
【手続補正書】
【提出日】平成23年10月18日(2011.10.18)
【手続補正１】
【補正対象書類名】明細書
【補正対象項目名】０００８
【補正方法】変更
【補正の内容】
【０００８】
電気照明器具の表面カバーに夜景や夜空、花火、星等の写真、絵などをプリントし、プリントした写真、絵などの中の照明、火、星等の光る部分に貫通孔を開け、蛍光灯、電球等の光を孔から射出し（７）、写真、絵などの中の光の部分を電気の光とすることで夜景等の写真、絵をリアルに表現することを特徴とした電気照明器具の表面カバーでは、全ての光の部分に貫通孔を開けなくとも要所に開けることで十分に光の効果を引き出せ、写真、絵をリアルにすることが可能である。さらに貫通孔を開けた部分に各種の色のセロファン(１４)等を貼ることで光の部分の細かい表現が可能となる。請求項２のように蛍光灯、電球等と電気照明器具の表面カバーとの間に、回転により透過する光の色を変化させるように着色するか、各色のセロハン（１０）などを貼り付けた、光の透過性の大きい、薄い合成樹脂板で作られた回転盤（８）と組み合わせた請求項１，３の電気照明器具の表面カバーとすることで光りの輝き、色に変化が生まれ、絵、写真の中の光る部分にイルミネーション効果を計ることができる。特開１９９７−１０１７５１で回転筒が設けられているが、絵柄そのものを投影する為のもので、本願の回転盤（８）は本願の特徴とする電気照明器具の表面カバーから射出する電球の光のイルミネーション効果を計るために用いるもので、使用する目的と併用する表面カバーに相違がある。本願表面カバーは図１のように直方体形、図３のように円筒形にするなど各種の形状の照明用電気器具に対応することができる。さらに照明器具本体の蛍光灯、電球等の明るさを調整できるようにするとさまざまな時間帯の夜景を表現することもできる。実際の２４時の夜景の明るさは２０時より暗いので、電球等の明るさを落とすことで射出する光が弱まり、その雰囲気を醸し出せる。安価にするには電球等は単数で充分であるが、大きな画面には複数用いて対応する。表面カバーに貫通孔を開ける代わりに、光の透過性の高い電気照明器具の表面カバーとし、それに写真、絵などの中の照明、火、星等の光る部分に貫通孔を開け、蛍光灯、電球等の光が孔から射出するようにした夜景や夜空、花火、星等の写真、絵、プリントしたものなどを表面カバーに貼り付けるか、表面カバーにネジまたは三角コーナー等で取り付けることでも写真、絵などの中の光の部分が電気の光となり、請求項１と同等の表現が可能となる。請求項４のように電気照明器具の表面カバー自身をモーター、ギヤ、摩擦車等の回転機構（１２）を使い、回転できるようにすると円周上の画面を定位置で見ることができる。円周上の画面を定位置で見るようにするため、電気照明器具の表面カバーを固定し、内部の回転筒を回転させて表面カバーに絵柄を投影するものがあるが、写真、絵などの中の照明、火、星等の光る部分に貫通孔を開け、蛍光灯、電球等の光を孔から射出（７）する電気照明器具表面カバーそのものを回転するものはない。
【手続補正２】
【補正対象書類名】明細書
【補正対象項目名】００１０
【補正方法】変更
【補正の内容】
【００１０】
１  電気照明器具本体
２  電気照明器具の表面カバー
３  横浜ベイブリッジの夜景の写真例
４  穴の開いた部分から光が射出することを示す  
５  電気照明器具本体と表面カバーの接合部分
６  蛍光灯及び電球等
７  夜景、花火、星等を描いた写真、絵などの中の照明、火、星等の光る部分に孔を開け、蛍光灯、電球等の光がその孔から射出するようにしたところ
８  光の透過性の大きい、薄い合成樹脂板で作られた回転盤
１０  光のイルミネーション効果を計るための着色部分、または各色セロファン
１１  回転盤の回転軸
１２  円筒形にした電気照明器具の表面カバー回転機構
１３  円筒形にした電気照明器具の表面カバー
１４  各色セロハン等
１５  回転盤回転機構
【手続補正３】
【補正対象書類名】特許請求の範囲
【補正対象項目名】請求項２
【補正方法】変更
【補正の内容】
【請求項２】
蛍光灯、電球等と電気照明器具の表面カバーとの間に、回転により透過する光の色を変化させるように着色するか、各色のセロハン（１０）などを貼り付けた、光の透過性の大きい、薄い合成樹脂板で作られた回転盤（８）と組み合わせた請求項１，３の電気照明器具の表面カバー
【手続補正４】
【補正対象書類名】特許請求の範囲
【補正対象項目名】請求項３
【補正方法】変更
【補正の内容】
【請求項３】
表面カバーに貫通孔を開ける代わりに、光の透過性の高い電気照明器具カバーとし、それに写真、絵などの中の照明、火、星等の光る部分に貫通孔を開け、蛍光灯、電球等の光が孔から射出するようにした夜景や夜空、花火、星等の写真、絵、プリントしたものなどを表面カバーに貼り付けるか、取り付けた電気照明器具の表面カバー
【手続補正５】
【補正対象書類名】図面
【補正対象項目名】図３
【補正方法】変更
【補正の内容】
【図３】
2011044328.tif 000001
【手続補正書】
【提出日】平成23年4月8日(2011.4.8)
【手続補正１】
【補正対象書類名】特許請求の範囲
【補正対象項目名】全文
【補正方法】変更
【補正の内容】
【特許請求の範囲】
【請求項１】
両面印刷を設定する設定手段と、
アプリケーションから出力されたデータと前記設定手段により設定された両面印刷とに基づいて、第１用紙の第１面に印刷されるべき第１ページの画像と前記第１用紙の第２面に印刷されるべき第２ページの反転画像とが重ねられた第１プレビュー画像と、第２用紙の第１面に印刷されるべき第３ページの画像と前記第２用紙の第２面に印刷されるべき第４ページの反転画像とが重ねられた第２プレビュー画像とを連続して並べて表示する表示制御手段とを備えることを特徴とする情報処理装置。
【請求項２】
前記第２ページおよび前記第３ページの反転画像は、濃度調整処理が適用された反転画像であることを特徴とする請求項１に記載の情報処理装置。
【請求項３】
前記反転画像は、前記プレビュー画像において用紙の長辺を基準に反転された画像であることを特徴とする請求項１または２に記載の情報処理装置。
【請求項４】
前記両面印刷は、プリンタドライバの設定画面を介して入力された指示に従って設定され、
前記表示制御手段は、前記プリンタドライバの設定画面を介してプレビュー表示が指示された場合、前記第１および第２プレビュー画像を表示することを特徴とする請求項１乃至３のいずれか１項に記載の情報処理装置。
【請求項５】
前記反転画像の濃度を指定する指定手段を更に備えることを特徴とする請求項１乃至４のいずれか１項に記載の情報処理装置。
【請求項６】
情報処理装置において実行される制御方法であって、
両面印刷を設定する設定工程と、
アプリケーションから出力されたデータと前記設定工程により設定された両面印刷とに基づいて、第１用紙の第１面に印刷されるべき第１ページの画像と前記第１用紙の第２面に印刷されるべき第２ページの反転画像とが重ねられた第１プレビュー画像と、第２用紙の第１面に印刷されるべき第３ページの画像と前記第２用紙の第２面に印刷されるべき第４ページの反転画像とが重ねられた第２プレビュー画像とを連続して並べて表示する表示制御工程とを備えることを特徴とする制御方法。
【請求項７】
前記第２ページおよび第３ページの反転画像は、濃度調整処理が適用された反転画像であることを特徴とする請求項６に記載の制御方法。
【請求項８】
前記反転画像は、前記プレビュー画像において用紙の長辺を基準に反転された画像であることを特徴とする請求項６または７に記載の制御方法。
【請求項９】
前記両面印刷は、プリンタドライバの設定画面を介して入力された指示に従って設定され、前記表示制御工程は、前記プリンタドライバの設定画面を介してプレビュー表示が指示された場合、前記第１および第２プレビュー画像を表示することを特徴とする請求項６乃至８のいずれか１項に記載の制御方法。
【請求項１０】
前記反転画像の濃度を指定する指定手段を更に備えることを特徴とする請求項６乃至９のいずれか１項に記載の制御方法。
【請求項１１】
情報処理装置において実行されるプログラムを記憶した記憶媒体であって、
両面印刷を設定する設定工程と、
アプリケーションからのデータと前記設定工程により設定された両面印刷とに基づいて、第１用紙の第１面に印刷されるべき第１ページの画像と前記第１用紙の第２面に印刷されるべき第２ページの反転画像とが重ねられた第１プレビュー画像と、第２用紙の第１面に印刷されるべき第３ページの画像と前記第２用紙の第２面に印刷されるべき第４ページの反転画像とが重ねられた第２プレビュー画像とを並べて表示する表示制御工程とをコンピュータに実行させるためのコンピュータ読み取り可能なプログラムを記憶した記憶媒体。
【請求項１２】
前記第２ページおよび第３ページの反転画像は、濃度調整処理が適用された反転画像であることを特徴とする請求項１１に記載の記憶媒体。
【請求項１３】
前記反転画像は、前記プレビュー画像において用紙の長辺を基準に反転された画像であることを特徴とする請求項１１または１２に記載の記憶媒体。
【請求項１４】
前記両面印刷は、プリンタドライバの設定画面を介して入力された指示に従って設定され、前記表示制御工程は、前記プリンタドライバの設定画面を介してプレビュー表示が指示された場合、前記第１および第２プレビュー画像を表示することを特徴とする請求項１１乃至１３のいずれか１項に記載の記憶媒体。
【請求項１５】
前記反転画像の濃度を指定する指定手段を更に備えることを特徴とする請求項１１乃至１４のいずれか１項に記載の記憶媒体。
【手続補正２】
【補正対象書類名】明細書
【補正対象項目名】０００７
【補正方法】変更
【補正の内容】
【０００７】
本発明は上記従来技術に鑑みてなされたものであり、両面印刷が反映されたプレビューを表示できる仕組みを提供することを目的とする。
【手続補正３】
【補正対象書類名】明細書
【補正対象項目名】０００８
【補正方法】変更
【補正の内容】
【０００８】
上記目的を達成するために、本発明は次のような構成からなる。すなわち、両面印刷を設定する設定手段と、アプリケーションから出力されたデータと前記設定手段により設定された両面印刷とに基づいて、第１用紙の第１面に印刷されるべき第１ページの画像と前記第１用紙の第２面に印刷されるべき第２ページの反転画像とが重ねられた第１プレビュー画像と、第２用紙の第１面に印刷されるべき第３ページの画像と前記第２用紙の第２面に印刷されるべき第４ページの反転画像とが重ねられた第２プレビュー画像とを連続して並べて表示する表示制御手段とを備えることを特徴とする。
【手続補正４】
【補正対象書類名】明細書
【補正対象項目名】０００９
【補正方法】変更
【補正の内容】
【０００９】
以上説明したように、本発明では、両面印刷が反映されたプレビュー画像を提供することが可能となる。
【手続補正書】
【提出日】平成23年4月13日(2011.4.13)
【手続補正１】
【補正対象書類名】特許請求の範囲
【補正対象項目名】請求項８
【補正方法】変更
【補正の内容】
【請求項８】
前記第１のドライバは、前記情報処理装置を、
前記ユーザーインターフェースを通じてどの画像読取装置が選択されたかを判別する判別手段と、
前記ユーザーインターフェースを通じて選択された画像読取装置が備える機能に応じて前記ユーザーインターフェースにおける操作可能項目を変更する変更手段として機能させることを特徴とする請求項５に記載の画像読取システム。
【手続補正２】
【補正対象書類名】明細書
【補正対象項目名】０１２３
【補正方法】変更
【補正の内容】
【０１２３】
よって、ＣＰＵ４６は、ユーザーインターフェースを通じてどの画像読取装置が選択されたかを判別する判別手段と、ユーザーインターフェースを通じて選択された画像読取装置が備える機能に応じてユーザーインターフェースにおける操作可能項目を変更する変更手段として機能する。
【手続補正書】
【提出日】平成23年5月18日(2011.5.18)
【手続補正１】
【補正対象書類名】明細書
【補正対象項目名】００３３
【補正方法】変更
【補正の内容】
【００３３】
図３には、本発明の実施例１である画像処理装置を搭載した又は画像処理方法を使用する撮像装置１００を示す。
【手続補正２】
【補正対象書類名】明細書
【補正対象項目名】００３４
【補正方法】変更
【補正の内容】
【００３４】
撮像装置１００は、結像光学系１１０と、イメージセンサ１２０と、ＡＤ変換部１３０と、デモザイク部１４０と、色滲み除去部１５０とを有する。また、撮像装置１００は、視覚補正部１６０と、圧縮部１７０と、記録部１８０とを有する。
【手続補正３】
【補正対象書類名】明細書
【補正対象項目名】００３５
【補正方法】変更
【補正の内容】
【００３５】
なお、図３中に示した写野９０（撮像領域、被写体）及びＲ（赤）光線９１，Ｇ（緑）光線９２，Ｂ（青）光線９３は撮像装置１００の構成要素ではないが、説明のため図示する。
【手続補正４】
【補正対象書類名】明細書
【補正対象項目名】００８０
【補正方法】変更
【補正の内容】
【００８０】
過除去抑止ステップ１５４では、上記マスク演算ステップ１５７から渡された色滲み推定量Ｅをさらに修正し、実際に除去する色滲み量である色滲み除去量Ｅ′を決める。推定ステップ１５３で推定した色滲み量は一定のモデルに沿ったものであり、実際の滲み量とは必ずしも一致しない。例えば、同じＢプレーンで検出される光であっても、波長４５０ｎｍの光と波長４００ｎｍの光では滲み方が変化するが、推定ステップ１５３ではこれを考慮していない。除去量が過小である場合、除去後も若干の青みが残る。
【手続補正５】
【補正対象書類名】明細書
【補正対象項目名】００８１
【補正方法】変更
【補正の内容】
【００８１】
一方、除去量が過大であると、灰色の背景に対してＢを減らしすぎ、黄緑色になってしまう。特に、後者は不自然で、観察者に大きな違和感を与える。そこで、過除去抑止ステップ１５４では、一定の色相範囲内でのみ色滲み除去が作用するよう制限する。
【手続補正６】
【補正対象書類名】明細書
【補正対象項目名】０１１９
【補正方法】変更
【補正の内容】
【０１１９】
１０  光源
９０  写野
１１０  結像光学系
１２０  イメージセンサ
１３０  ＡＤ変換部
１４０  デモザイク部
１５０  色滲み除去部
１５１  空間演算ステップ
１５２  領域判定ステップ
１５３  推定ステップ
１５４  過除去抑制ステップ
１５５  除去ステップ
１５６  画像取得ステップ
１５７  マスク演算ステップ
１６０  視覚補正部
１７０  圧縮部
１８０  記録部
【手続補正書】
【提出日】平成23年5月10日(2011.5.10)
【手続補正１】
【補正対象書類名】特許請求の範囲
【補正対象項目名】全文
【補正方法】変更
【補正の内容】
【特許請求の範囲】
【請求項１】
送信装置と受信装置とを備える送受信システムであって、
前記送信装置は、
映像データを記録する記録手段と、
前記記録手段に記録された複数の映像データのうち、いずれかの映像データを、ユーザの指示に応じて選択する選択手段と、
前記選択手段により選択された映像データの総データ量を受信装置に送信する送信手段と、
前記選択された映像データの先頭から読み出して、前記受信装置にストリームデータを送信するストリーム送信手段と、
前記選択された映像データの末尾から所定の単位毎に分割して、前記受信装置にファイルデータを送信するファイル送信手段と、
を備え、
前記受信装置は、
前記選択された映像データの総データ量と、前記ストリーム送信手段により送信されたストリームデータと、前記ファイル送信手段により送信されたファイルデータと、を受信する受信手段と、
前記受信手段により受信されたファイルデータを蓄積する蓄積手段と、
前記受信手段により受信されたストリームデータのデータ量と、前記蓄積手段により蓄積されたファイルデータのデータ量との合計が、前記映像データの総データ量と一致したか否かを判定する判定手段と、
前記判定手段により前記合計が前記映像データの総データ量と一致したと判定された場合は、前記送信装置と前記受信装置との接続が切断可能な旨をユーザに通知する通知手段と、
を備えることを特徴とする送受信システム。
【請求項２】
前記ファイル送信手段は、前記ストリーム送信手段が前記ストリームデータの送信を開始すると同時に、前記ファイルデータの送信を開始することを特徴とする請求項１に記載の送受信システム。
【請求項３】
前記ファイル送信手段は、前記ストリーム送信手段が前記ストリームデータを送信している間に、前記送信装置と前記受信装置との接続の切断をユーザから要求されたことに応じて、前記ファイルデータの送信を開始することを特徴とする請求項１に記載の送受信システム。
【請求項４】
前記受信装置は、
前記判定手段により前記合計が前記映像データの総データ量と一致したと判定された場合に、表示部に表示する映像を、前記受信手段により受信されたストリームデータに係る映像から、前記蓄積手段により蓄積されたファイルデータに係る映像に切り替える表示制御手段と、をさらに備えることを特徴とする請求項１から請求項３までのいずれか１項に記載の送受信システム。
【請求項５】
前記ファイル送信手段は、前記選択された映像データの末尾からＧＯＰ単位毎に分割して、前記受信装置にファイルデータを送信することを特徴とする請求項１から請求項４までのいずれか１項に記載の送受信システム。
【手続補正２】
【補正対象書類名】明細書
【補正対象項目名】００１３
【補正方法】変更
【補正の内容】
【００１３】
上記目的を達成するために、本発明の送受信システムは、送信装置と受信装置とを備える送受信システムであって、前記送信装置は、映像データを記録する記録手段と、前記記録手段に記録された複数の映像データのうち、いずれかの映像データを、ユーザの指示に応じて選択する選択手段と、前記選択手段により選択された映像データの総データ量を受信装置に送信する送信手段と、前記選択された映像データの先頭から読み出して、前記受信装置にストリームデータを送信するストリーム送信手段と、前記選択された映像データの末尾から所定の単位毎に分割して、前記受信装置にファイルデータを送信するファイル送信手段と、を備え、前記受信装置は、前記選択された映像データの総データ量と、前記ストリーム送信手段により送信されたストリームデータと、前記ファイル送信手段により送信されたファイルデータと、を受信する受信手段と、前記受信手段により受信されたファイルデータを蓄積する蓄積手段と、前記受信手段により受信されたストリームデータのデータ量と、前記蓄積手段により蓄積されたファイルデータのデータ量との合計が、前記映像データの総データ量と一致したか否かを判定する判定手段と、前記判定手段により前記合計が前記映像データの総データ量と一致したと判定された場合は、前記送信装置と前記受信装置との接続が切断可能な旨をユーザに通知する通知手段と、を備えることを特徴とする送受信システム。
を備えることを特徴とする。
【手続補正書】
【提出日】平成23年5月17日(2011.5.17)
【手続補正１】
【補正対象書類名】特許請求の範囲
【補正対象項目名】全文
【補正方法】変更
【補正の内容】
【特許請求の範囲】
【請求項１】
動画撮影中に静止画撮影指示があった場合、前記動画撮影を中断して静止画撮影を行い、静止画撮影終了後に前記動画撮影を再開する撮像装置において、
１枚の画像から、動画データとして奇数フィールドデータと偶数フィールドデータとを交互に生成する動画データ生成手段と、
前記動画データ生成手段における、前記奇数フィールドデータと前記偶数フィールドデータの生成順序と数を制御する制御手段とを有し、
前記制御手段は、前記静止画撮影による前記動画撮影の中断の期間に対応する動画データが欠落しないよう、予め定められた動画撮影用の露光期間の長さに対する前記中断の期間の長さに応じて、前記動画データ生成手段が１枚の画像から生成するフィールドデータの生成数を制御するとともに、前記中断の期間の前後を通じ、奇数フィールドデータ及び偶数フィールドデータが交互に生成されるように前記動画データ生成手段における奇数フィールドデータ及び偶数フィールドデータの生成順序を制御することを特徴とする撮像装置。
【請求項２】
静止画撮影用の露光期間に補助光を発光する発光手段と、
前記静止画撮影用の露光期間における前記発光手段による発光の有無を判定する判定手段と、を更に備え、
前記制御手段は、前記判定手段により前記静止画撮影用の露光期間に前記発光手段による発光があったと判定された場合に、前記静止画撮影によりも前に前記動画撮影により得られた１枚の画像から生成するフィールドデータの生成数及び生成順序を制御し、前記発光手段による発光がなかったと判定された場合に、前記静止画撮影により得られた画像から生成するフィールドデータの生成数及び生成順序を制御することを特徴とする請求項１に記載の撮像装置。
【請求項３】
１枚の画像から、動画データとして奇数フィールドデータと偶数フィールドデータとを交互に生成する動画データ生成手段と、前記動画データ生成手段における、前記奇数フィールドデータと前記偶数フィールドデータの生成順序と数を制御する制御手段とを有し、動画撮影中に静止画撮影指示があった場合、前記動画撮影を中断して静止画撮影を行い、静止画撮影終了後に前記動画撮影を再開する撮像装置の制御方法であって、
前記制御手段が、前記静止画撮影による前記動画撮影の中断の期間に対応する動画データが欠落しないよう、予め定められた動画撮影用の露光期間の長さに対する前記中断の期間の長さに応じて、前記動画データ生成手段が１枚の画像から生成するフィールドデータの生成数を制御する第１制御工程と、
前記制御手段が、前記中断の期間の前後を通じ、奇数フィールドデータ及び偶数フィールドデータが交互に生成されるように前記動画データ生成手段における奇数フィールドデータ及び偶数フィールドデータの生成順序を制御する第２制御工程と、
を有することを特徴とする制御方法。
【請求項４】
請求項３に記載の制御方法の各工程をコンピュータに実行させるためのプログラム。
【手続補正２】
【補正対象書類名】明細書
【補正対象項目名】０００６
【補正方法】変更
【補正の内容】
【０００６】
上記目的は、動画撮影中に静止画撮影指示があった場合、前記動画撮影を中断して静止画撮影を行い、静止画撮影終了後に前記動画撮影を再開する撮像装置において、１枚の画像から、動画データとして奇数フィールドデータと偶数フィールドデータとを交互に生成する動画データ生成手段と、前記動画データ生成手段における、前記奇数フィールドデータと前記偶数フィールドデータの生成順序と数を制御する制御手段とを有し、前記制御手段は、前記静止画撮影による前記動画撮影の中断の期間に対応する動画データが欠落しないよう、予め定められた動画撮影用の露光期間の長さに対する前記中断の期間の長さに応じて、前記動画データ生成手段が１枚の画像から生成するフィールドデータの生成数を制御するとともに、前記中断の期間の前後を通じ、奇数フィールドデータ及び偶数フィールドデータが交互に生成されるように前記動画データ生成手段における奇数フィールドデータ及び偶数フィールドデータの生成順序を制御することを特徴とする本発明による撮像装置によって達成される。
【手続補正３】
【補正対象書類名】明細書
【補正対象項目名】０００７
【補正方法】変更
【補正の内容】
【０００７】
また、上記目的は、１枚の画像から、動画データとして奇数フィールドデータと偶数フィールドデータとを交互に生成する動画データ生成手段と、前記動画データ生成手段における、前記奇数フィールドデータと前記偶数フィールドデータの生成順序と数を制御する制御手段とを有し、動画撮影中に静止画撮影指示があった場合、前記動画撮影を中断して静止画撮影を行い、静止画撮影終了後に前記動画撮影を再開する撮像装置の制御方法であって、前記制御手段が、前記静止画撮影による前記動画撮影の中断の期間に対応する動画データが欠落しないよう、予め定められた動画撮影用の露光期間の長さに対する前記中断の期間の長さに応じて、前記動画データ生成手段が１枚の画像から生成するフィールドデータの生成数を制御する第１制御工程と、前記制御手段が、前記中断の期間の前後を通じ、奇数フィールドデータ及び偶数フィールドデータが交互に生成されるように前記動画データ生成手段における奇数フィールドデータ及び偶数フィールドデータの生成順序を制御する第２制御工程と、を有することを特徴とする本発明による制御方法によっても達成される。
【手続補正書】
【提出日】平成23年4月11日(2011.4.11)
【手続補正１】
【補正対象書類名】明細書
【補正対象項目名】００４２
【補正方法】変更
【補正の内容】
【００４２】
パケット処理回路２３は、コントローラ２１からの制御に従って、インターフェース２２から入力される映像音声信号を所定のパケットの形式のデジタル信号に変換して、高速無線送信回路２４ａに出力する。高速無線送信回路２４ａは、例えば６０ＧＨｚ程度のミリ波帯である高い周波数を有する搬送波を、パケット処理回路２３からのデジタル信号に従って変調することにより、非圧縮で映像信号及び音声信号を含む映像音声無線信号を発生し、アンテナ２５を介してアダプタ装置３０のアンテナ３２に向け無線送信する。無線通信システムでは、一般に、搬送波周波数が高くなるほど速い伝送速度を設定することができ、高速無線送信回路２４ａの伝送速度は後述する低速無線送受信回路２４ｂの伝送速度よりも速くなるように設定される。
【手続補正２】
【補正対象書類名】明細書
【補正対象項目名】００５７
【補正方法】変更
【補正の内容】
【００５７】
図６は、図４のＥＤＩＤ応答メッセージ信号に含まれるＥＤＩＤ応答メッセージのフォーマットの一例を示す図である。ＥＤＩＤ応答メッセージは、当該メッセージがＥＤＩＤ応答メッセージであることを示す所定のオペコードを示すオペコードフィールド７１（１６ビット）と、当該メッセージの合計のデータ長を示す合計データ長フィールド７２（１６ビット）と、ＥＤＩＤデータが伝送される複数Ｎ個のＥＤＩＤデータフィールド７３−１〜７３−Ｎとを含む。各ＥＤＩＤデータフィールド７３−ｎ（ｎ＝１，２，…，Ｎ）は、ＥＤＩＤデータを含むサブデータフィールド７６−ｎと、サブデータフィールド７６−ｎに含まれるＥＤＩＤデータのタイプを示すタイプフィールド７４−ｎ（８ビット）と、サブデータフィールド７６−ｎのデータ長を示すデータ長フィールド７５−ｎ（８ビット）とを含む。
【手続補正３】
【補正対象書類名】明細書
【補正対象項目名】００７６
【補正方法】変更
【補正の内容】
【００７６】
なお、テーブルメモリ２６は、シンク装置４０の各映像表示方式と、各映像表示方式の映像信号を無線伝送するための各データ伝送速度を示す優先順位とを対応づけて格納する映像信号用帯域管理テーブルを予め記憶してもよい。このとき、アダプタ装置２０のコントローラ２１は、映像信号用帯域管理テーブルを参照して、最高の優先順位を有する映像表示方式を、複数の映像表示方式のうち最速のデータ伝送速度を有する映像表示方式として選択してもよい。
【手続補正４】
【補正対象書類名】明細書
【補正対象項目名】００７７
【補正方法】変更
【補正の内容】
【００７７】
また、テーブルメモリ２６は、シンク装置４０の各音声出力方式と、各音声出力方式の映像信号を無線伝送するための各データ伝送速度を示す優先順位とを対応づけて格納する音声信号用帯域管理テーブルを予め記憶してもよい。このとき、このとき、アダプタ装置２０のコントローラ２１は、音声信号用帯域管理テーブルを参照して、最高の優先順位を有する音声出力方式を、複数の音声出力方式のうち最速のデータ伝送速度を有する音声出力方式として選択してもよい。
【手続補正５】
【補正対象書類名】図面
【補正対象項目名】図１１
【補正方法】変更
【補正の内容】
【図１１】
2009284047.tif 000001
【手続補正書】
【提出日】平成23年1月14日(2011.1.14)
【手続補正１】
【補正対象書類名】特許請求の範囲
【補正対象項目名】全文
【補正方法】変更
【補正の内容】
【特許請求の範囲】
【請求項１】
移動体に搭載されるデジタル放送受信装置であって、
複数の放送方式により放送されるデジタル放送を受信して復調する復調部と、
前記復調部により復調された第１の放送方式により放送されたデジタル放送をデコードする第１のデコード部と、
前記復調部により復調された第２の放送方式により放送されたデジタル放送をデコードする第２のデコード部と、
前記第１のデコード部又は第２のデコード部からの出力を選択して出力する選択部と、
前記移動体の移動速度を計測する計測部と、
前記計測部により計測された移動速度に基づいて前記選択部の選択を制御する判定部と、を備え、
前記判定部は、視聴中の前記第１の放送方式により放送されたデジタル放送が受信できなくなった場合、前記移動速度が所定の速度以下の場合には前記選択部に前記第２の放送方式の出力を選択させ、前記移動速度が所定の速度以上の場合には前記第１の放送方式により放送されたデジタル放送と同じデジタル放送を異なる物理周波数からサーチして前記選択部に選択させることを特徴とするデジタル放送受信装置。
【請求項２】
移動体に搭載されるデジタル放送受信装置であって、
複数の放送方式により放送されるデジタル放送を受信して復調する復調部と、
前記復調部により復調された第１の放送方式により放送されたデジタル放送をデコードする第１のデコード部と、
前記復調部により復調された第２の放送方式により放送されたデジタル放送をデコードする第２のデコード部と、
前記第１のデコード部又は第２のデコード部からの出力を選択して出力する選択部と、
前記選択部において選択する出力の優先順位を設定する優先順位設定部と、
前記優先順位設定部の優先順位に基づいて前記選択部の選択を制御する判定部と、を備え、
前記判定部は、視聴中の前記第１の放送方式により放送されたデジタル放送が受信できなくなった場合、前記優先順位設定部に設定された優先順位に基づいて、前記選択部に前記第２の放送方式の出力又は前記第１の放送方式により放送されたデジタル放送と同じデジタル放送を異なる物理周波数からサーチした出力を選択させることを特徴とするデジタル放送受信装置。
【請求項３】
前記第１の放送方式及び前記第２の放送方式とは、少なくとも、１セグ放送、１２セグ放送、衛星放送で送られてくる地上波の再送信放送のサイマル放送、ＩＳＤＢ−Ｔｍｍをつかって放送される地上波デジタル放送のサイマル放送、インターネットで配信される、地上波デジタル放送のサイマル放送のいずれか２つを含むことを特徴とする請求項１又は２のいずれかに記載のデジタル放送受信装置。
【手続補正２】
【補正対象書類名】明細書
【補正対象項目名】００１９
【補正方法】変更
【補正の内容】
【００１９】
第３の発明に係るデジタル放送受信装置によれば、１２セグ放送もワンセグ放送も受信できなくなった場合でも番組の継続視聴ができるようになる、という効果がある。
【手続補正３】
【補正対象書類名】図面
【補正対象項目名】図７
【補正方法】変更
【補正の内容】
【図７】
2009284039.tif 000001
【手続補正書】
【提出日】平成23年5月20日(2011.5.20)
【手続補正１】
【補正対象書類名】特許請求の範囲
【補正対象項目名】全文
【補正方法】変更
【補正の内容】
【特許請求の範囲】
【請求項１】
記憶媒体に記録された画像ファイルを再生する画像再生装置であって、
前記記憶媒体から画像ファイルを取得する取得手段と、
前記取得手段により取得した画像ファイルが、文書ファイルに基づく画像ファイルである文書画像ファイルか否かを判定する判定手段と、
前記取得手段により取得した画像ファイルを再生する再生手段と、
前記再生手段を制御する制御手段と、を有し、
前記制御手段は、前記判定手段により前記文書画像ファイルではないと判定された場合、ユーザの操作による再生順序の変更を可能とする一方、前記文書画像ファイルであると判定された場合、前記再生順序の変更を不可とすることを特徴とする画像再生装置。
【請求項２】
前記文書画像ファイルは、複数のページからなる文書ファイルを１ページずつ画像ファイルとして変換することにより生成されることを特徴とする請求項１に記載の画像再生装置。
【請求項３】
前記判定手段は、前記画像ファイルから属性情報を取得し、取得した属性情報を用いて画像ファイルを判定することを特徴とする請求項１に記載の画像再生装置。
【請求項４】
前記画像ファイルは、前記文書画像ファイルと写真画像ファイルとを含み、
前記記憶媒体には、前記文書画像ファイルと前記写真画像ファイルとが混在して記録されていることを特徴とする請求項１乃至３のいずれか１項に記載の画像再生装置。
【請求項５】
前記取得手段により取得した画像ファイルのファイル名を一覧表示するとともに、当該一覧表示されたファイル名から所定のファイルを選択可能に表示する表示手段を更に有することを特徴とする請求項１乃至４のいずれか１項に記載の画像再生装置。
【請求項６】
前記表示手段は、前記判定手段による画像ファイルの判定の結果に応じて、画像ファイルの再生順序の変更が可能なランダム再生と、再生順序の変更が不可のスライドショー再生とを選択可能に表示することを特徴とする請求項５に記載の画像再生装置。
【請求項７】
記憶媒体に記録された画像ファイルを再生する再生手段を有する画像再生装置の制御方法であって、
前記記憶媒体から画像ファイルを取得する取得工程と、
前記取得工程により取得した画像ファイルが、文書ファイルに基づく画像ファイルである文書画像ファイルか否かを判定する判定工程と、
前記再生手段を制御する制御工程と、を有し、
前記制御工程では、前記判定工程において前記文書画像ファイルではないと判定された場合、ユーザの操作による再生順序の変更を可能とする一方、前記文書画像ファイルであると判定された場合、前記再生順序の変更を不可とすることを特徴とする制御方法。
【請求項８】
請求項７に記載の制御方法を画像再生装置のコンピュータに実行させるためのプログラム。
【手続補正２】
【補正対象書類名】明細書
【補正対象項目名】００１３
【補正方法】変更
【補正の内容】
【００１３】
上記課題を解決するために、本発明に係る画像再生装置は、記憶媒体に記録された画像ファイルを再生する画像再生装置であって、前記記憶媒体から画像ファイルを取得する取得手段と、前記取得手段により取得した画像ファイルが、文書ファイルに基づく画像ファイルである文書画像ファイルか否かを判定する判定手段と、前記取得手段により取得した画像ファイルを再生する再生手段と、前記再生手段を制御する制御手段と、を有し、前記制御手段は、前記判定手段により前記文書画像ファイルではないと判定された場合、ユーザの操作による再生順序の変更を可能とする一方、前記文書画像ファイルであると判定された場合、前記再生順序の変更を不可とする。
【手続補正３】
【補正対象書類名】明細書
【補正対象項目名】００１４
【補正方法】変更
【補正の内容】
【００１４】
また、本発明に係る画像再生装置の制御方法は、記憶媒体に記録された画像ファイルを再生する再生手段を有する画像再生装置の制御方法であって、前記記憶媒体から画像ファイルを取得する取得工程と、前記取得工程により取得した画像ファイルが、文書ファイルに基づく画像ファイルである文書画像ファイルか否かを判定する判定工程と、前記再生手段を制御する制御工程と、を有し、前記制御工程では、前記判定工程において前記文書画像ファイルではないと判定された場合、ユーザの操作による再生順序の変更を可能とする一方、前記文書画像ファイルであると判定された場合、前記再生順序の変更を不可とする。
【手続補正書】
【提出日】平成23年5月20日(2011.5.20)
【手続補正１】
【補正対象書類名】特許請求の範囲
【補正対象項目名】全文
【補正方法】変更
【補正の内容】
【特許請求の範囲】
【請求項１】
少なくとも一面に粘着層を設けた台紙と、前記台紙の少なくとも一辺に固定され他辺方向から剥離可能な透明シートが前記粘着層に装着され、前記粘着層と前記透明シートの間に被読取用紙が挟持された状態で前記固定辺側からイメージスキャナの読取紙送り機構に読み取られるスキャナ用読取シートにおいて、
前記粘着層は、台紙表面の一部に粘着剤を混合した印刷用インク（糊インク）を塗布したものであり、当該糊インクにより文字、図形、記号または画像が描かれていることを特徴とするスキャナ用読取シート。
【請求項２】
前記粘着層は台紙の表裏面に設けられており、１枚の透明シートが前記固定辺を中心に前記台紙の表裏面方向に折り込まれている請求項１記載のスキャナ用読取シート。
【請求項３】
前記台紙の台紙面に対して粘着剤を混合した印刷用インク（糊インク）の占有面積比率は２％以上で且つ１００％以下であり、且つ前記糊インクの粘着力が０．００１Ｎ／１０ｍｍ以上で且つ１０Ｎ／１０ｍｍ以下である請求項１または２に記載のスキャナ用読取シート。
【請求項４】
１箇所または複数箇所に折り目が設けられており、折り込まれて手帳に収納可能な請求項１〜３のいずれか１項に記載のスキャナ用読取シート。
【請求項５】
前記被読取用紙を挟持した状態で前記のスキャナ用読取シートの厚みは０．００１ｍｍ以上で且つ５．００ｍｍ以下である請求項１〜４のいずれか１項に記載のスキャナ用読取シート。
【手続補正書】
【提出日】平成23年5月20日(2011.5.20)
【手続補正１】
【補正対象書類名】特許請求の範囲
【補正対象項目名】全文
【補正方法】変更
【補正の内容】
【特許請求の範囲】
【請求項１】
画像データと前記画像データの印刷設定情報を入力する入力手段と、
前記画像データをブロック領域に分割し、前記印刷設定情報に基づき、前記分割されたブロック領域ののりしろ領域を算出するのりしろ領域算出手段と、
前記ブロック領域にのりしろ領域を付加した処理ブロック領域を生成する生成手段と、
前記生成手段によって生成された処理ブロック領域に対して画像処理を行う処理手段と、
を有することを特徴とする画像処理装置。
【請求項２】
さらに、前記処理手段によって画像処理された各処理ブロック領域を合成する合成手段を有することを特徴とする請求項１に記載の画像処理装置。
【請求項３】
前記処理手段において少なくとも一つ以上の画像処理を行う場合、前記印刷設定情報に基づいて各画像処理で必要となるのりしろ領域を決定し、前記決定された複数ののりしろ領域を用いて前記ブロック領域ののりしろ領域を算出することを特徴とする請求項１または２に記載の画像処理装置。
【請求項４】
入力画像から前記入力画像より小さい処理ブロック領域を生成し、前記処理ブロック領域ごとに処理を行う画像処理装置であって、
少なくとも一つ以上の画像処理を組み合わせた画像処理によって前記入力画像を処理する画像処理手段と、
前記画像処理の内容に応じて、のりしろ領域を求めるのりしろ領域算出手段と、
前記のりしろ領域に応じて、前記処理ブロック領域を生成する処理ブロック領域生成手段とを備えることを特徴とする画像処理装置。
【請求項５】
前記のりしろ領域は、前記画像処理の全てで必要な全てののりしろ領域であることを特徴とする請求項４に記載の画像処理装置。
【請求項６】
前記画像処理手段は、前記入力画像の入力方法によって指定される前記画像処理を変更し、前記のりしろ領域算出手段は、前記画像処理に必要な大きさののりしろ領域を求めることを特徴とする請求項４又は請求項５に記載の画像処理装置。
【請求項７】
前記画像処理手段は、前記入力画像の解像度によって指定される前記画像処理を変更し、前記のりしろ領域算出手段は、前記画像処理に必要な大きさののりしろ領域を求めることを特徴とする請求項４又は請求項５に記載の画像処理装置。
【請求項８】
前記画像処理手段は、前記入力画像に応じて、指定される前記画像処理を変更し、前記のりしろ領域算出手段は、前記画像処理に必要な大きさののりしろ領域を求めることを特徴とする請求項４又は請求項５に記載の画像処理装置。
【請求項９】
画像データを入力する入力手段と、
前記画像データをブロック領域に分割し、前記ブロック領域ごとに解析した結果に基づき、前記分割されたブロック領域ごとにのりしろ領域を算出するのりしろ領域算出手段と、
前記ブロック領域に前記のりしろ領域を付加した処理ブロック領域を生成する生成手段と、
前記生成手段によって生成された処理ブロック領域に対して画像処理を行う処理手段と、
を有することを特徴とする画像処理装置。
【請求項１０】
さらに、前記処理手段によって画像処理された各処理ブロック領域を合成する合成手段を有することを特徴とする請求項９に記載の画像処理装置。
【請求項１１】
前記処理手段において少なくとも一つ以上の画像処理を行う場合、前記解析した結果に基づいて各画像処理で必要となるのりしろ領域を決定し、前記決定された複数ののりしろ領域を用いて前記ブロック領域ののりしろ領域を算出することを特徴とする請求項９または１０に記載の画像処理装置。
【請求項１２】
入力画像から前記入力画像より小さい分割されたブロックを生成し、前記分割されたブロックを元に生成される処理ブロック領域ごとに処理を行う画像処理装置であって、
少なくとも一つ以上の画像処理を組み合わせた画像処理によって前記入力画像を処理する画像処理手段と、
前記分割されたブロックを解析し、前記画像処理を変更する画像処理制御手段と、
前記画像処理の内容に応じて、のりしろ領域を求めるのりしろ領域算出手段と、
前記のりしろ領域に応じて、前記分割されたブロックにのりしろを付加して前記処理ブロックを生成する処理ブロック領域生成手段とを備えることを特徴とする画像処理装置。
【請求項１３】
前記のりしろ領域は、前記画像処理の全てで必要な全てののりしろ領域であることを特徴とする請求項１２に記載の画像処理装置。
【請求項１４】
前記画像処理制御手段は、前記分割されたブロックに含まれるオブジェクトに応じて、前記画像処理を変更することを特徴とする請求項１２又は請求項１３に記載の画像処理装置。
【請求項１５】
前記画像処理制御手段は、前記分割されたブロックの画像劣化に応じて、前記画像処理を変更することを特徴とする請求項１２又は請求項１３に記載の画像処理装置。
【請求項１６】
前記画像処理は、スムージング処理を含むことを特徴とする請求項１乃至１５のいずれかに記載の画像処理装置。
【請求項１７】
画像データと前記画像データの印刷設定情報を入力する入力ステップと、
前記画像データをブロック領域に分割し、前記印刷設定情報に基づき、前記分割されたブロック領域ののりしろ領域を算出するのりしろ領域算出ステップと、
前記ブロック領域にのりしろ領域を付加した処理ブロック領域を生成する生成ステップと、
前記生成ステップによって生成された処理ブロック領域に対して画像処理を行う処理ステップと、
を有することを特徴とする画像処理方法。
【請求項１８】
入力画像から前記入力画像より小さい処理ブロック領域を生成し、前記処理ブロック領域ごとに処理を行う画像処理方法であって、
少なくとも一つ以上の画像処理を組み合わせた画像処理によって前記入力画像を処理する画像処理ステップと、
前記画像処理の内容に応じて、のりしろ領域を求めるのりしろ領域算出ステップと、
前記のりしろ領域に応じて、前記処理ブロック領域を生成する処理ブロック領域生成ステップとを備えることを特徴とする画像処理方法。
【請求項１９】
画像データを入力する入力ステップと、
前記画像データをブロック領域に分割し、前記ブロック領域ごとに解析した結果に基づき、前記分割されたブロック領域ごとにのりしろ領域を算出するのりしろ領域算出ステップと、
前記ブロック領域に前記のりしろ領域を付加した処理ブロック領域を生成する生成ステップと、
前記生成ステップによって生成された処理ブロック領域に対して画像処理を行う処理ステップと、
を有することを特徴とする画像処理方法。
【請求項２０】
入力画像から前記入力画像より小さい分割されたブロックを生成し、前記分割されたブロックを元に生成される処理ブロック領域ごとに処理を行う画像処理方法であって、
少なくとも一つ以上の画像処理を組み合わせた画像処理によって前記入力画像を処理する画像処理ステップと、
前記分割されたブロックを解析し、前記画像処理を変更する画像処理制御ステップと、
前記画像処理の内容に応じて、のりしろ領域を求めるのりしろ領域算出ステップと、
前記のりしろ領域に応じて、前記分割されたブロックにのりしろを付加して前記処理ブロックを生成する処理ブロック領域生成ステップとを備えることを特徴とする画像処理方法。
【請求項２１】
コンピュータを請求項１乃至１６の何れか１項に記載の画像処理装置の各手段として機能させるためのプログラム。